(57)【要約】【課題】構造、組み立てが簡単で工期の短縮、工費の削減、材料の有効利用が図られ、爾後の変更、拡張も容易な建造物の躯体構造及びその施工方法を提供すること。【解決手段】躯体構造１は垂直軸組３と水平軸組５を適宜組み合わせることによって建造物躯体７を形成し、垂直軸組３と水平軸組５は単一の矩形断面の軸要素９を単独で、あるいはこれらを複数本組み合わせることによって構成されている。また本発明の施工方法は基本躯体３９組立後、軸要素９間の間隙部４３、４９を利用して他の軸要素９を組み合わせることによって拡張躯体４５を形成するようにした。また基本躯体３９組立後、垂直軸組３ないし水平軸組５の一部、あるいはこれらの双方の一部を切除することによって開口躯体６５を形成するようにした。【選択図】              図１
2004346579.tif 000002
【特許請求の範囲】
【請求項１】
垂直軸組と水平軸組を適宜組み合わせることによって建造物躯体を形成する建造物の躯体構造において、垂直軸組と水平軸組は単一の矩形断面の軸要素を単独で、あるいはこれらを複数本組み合わせることによって構成されていることを特徴とする建造物の躯体構造。
【請求項２】
請求項１に記載の建造物の躯体構造において、垂直軸組は建造物躯体の隅部から垂直に立ち上がる断面Ｌ字状の柱と、対向する柱間の適宜の位置に設けられる断面矩形状の間柱とを備え、一方、水平軸組は柱及び間柱の下部と接続され、建造物躯体を基礎に固定するための土台と、柱及び間柱の上部と接続され、段違い状態に配設される梁とを備えることによって構成されていることを特徴とする建造物の躯体構造。
【請求項３】
請求項１または２に記載の建造物の躯体構造において、垂直軸組と水平軸組の接合部には長さの違う複数本の軸要素を組み合わせることによって形成される接合凹部ないし接合凸部が設けられていることを特徴とする建造物の躯体構造。
【請求項４】
請求項１に記載の建造物の躯体構造において、垂直軸組は多数本の軸要素を軸要素の幅寸法分の間隔を空けて柵状に等間隔配置することによって基本的に構成され、これによって建造物躯体の壁面を形成すると共に、一方、水平軸組は多数本の軸要素を軸要素の幅寸法分の間隔を空けて段違い格子状に等間隔配置することによって基本的に構成され、これによって建造物躯体の天面及び床面を形成するようにしたことを特徴とする建造物の躯体構造。
【請求項５】
請求項４に記載の建造物の躯体構造において、垂直軸組は長寸の２本の軸要素の間に短寸の軸要素を挟持させた組合せ要素と、組合せ要素間に軸要素によって構成されるスペーサとを交互に組み合わせることによって構成されていることを特徴とする建造物の躯体構造。
【請求項６】
請求項４または５に記載の建造物の躯体構造において、水平軸組はすのこ状に等間隔配置された二組の水平軸要素群が９０°角度を異ならせて上下に段積みされることによって構成されており、水平軸組における各軸要素の端部を垂直軸組における各軸要素間の間隙部に挿入することによって両者の接合が図られていることを特徴とする建造物の躯体構造。
【請求項７】
垂直軸組と水平軸組を適宜組み合わせることによって建造物躯体を形成する建造物躯体の施工方法において、建造物躯体は請求項４〜６のいずれかに記載した躯体構造を基本躯体とし、基本躯体組立後、軸要素間の間隙部を利用して他の軸要素を組み合わせることによって拡張躯体を形成するようにしたことを特徴とする建造物の躯体構造の施工方法。
【請求項８】
垂直軸組と水平軸組を適宜組み合わせることによって建造物躯体を形成する建造物躯体の施工方法において、建造物躯体は請求項４〜６のいずれかに記載した躯体構造を基本躯体とし、基本躯体組立後、垂直軸組ないし水平軸組の一部、あるいはこれらの双方の一部を切除することによって開口躯体を形成するようにしたことを特徴とする建造物の躯体構造の施工方法。
【請求項９】
垂直軸組と水平軸組を適宜組み合わせることによって建造物躯体を形成する建造物躯体の施工方法において、建造物躯体は請求項１〜６のいずれかに記載の躯体構造を基本躯体とし、基本躯体組立時において長さの違う軸要素を使用することによって、あるいは基本躯体組立後において他の軸要素を継ぎ合わせることによって拡張躯体を形成するようにしたことを特徴とする建造物の躯体構造の施工方法。
【発明の詳細な説明】
【０００１】
【発明の属する技術分野】
本発明は例えば、屋外用の屋根付きトイレ、あずまや、物置、ログキャビン等の簡易な建造物を構築するのに好適な建造物の躯体構造及び該躯体構造の施工方法に関する。
【０００２】
【従来の技術】
木造家屋等の建造物の躯体構造を構築する場合、我が国では在来工法と呼ばれる軸組工法が多く採用されている。また近年では欧米から入ってきた２×４工法等の枠組壁工法も普及してきている。
在来工法ではホゾ組みが多用されていることから複雑なホゾ加工等が必要となる。また規格や大きさの違う多種類の柱や梁等を用意し、これらを適宜組み合わせることによって建造物の骨組みを形成し、さらに壁材等を貼設することによって建造物躯体を形成している。
一方、２×４工法では２×４インチサイズの角材を使用し、これらを枠に組んで、積み重ね、角材自体で壁面を形作り、建造物躯体を形成している。尚、本明細書において使用する建造物躯体とは建造物の骨格を形作る構造体の総称であり、形状は必ずしも直方体状のものに限定されない。
【０００３】
【発明が解決しようとする課題】
しかし、在来工法による場合には、複雑なホゾ加工等が必要であり、規格や形状、大きさの違う多種類の柱や梁等を数多く正確に製作しなければならないため、必然的に工期は長くなり、加工コストも増大化する傾向を招いていた。
また柱や梁等を加工するに際しては、大量の廃材が発生するため廃材の処理、材料の有効利用についても今後考えなければならない問題とされていた。
【０００４】
また２×４工法では２×４インチサイズの単一の角材を主に使用していることから、材料の有効利用が図られる点で優れているといえる。しかし、使用する材料の量が在来工法に比べて多くなることから材料コストの増大を招いていた。また単一の角材のみをそのまま使用しているためデザインが画一化するという傾向も指摘されていた。
本発明は上記従来の問題点に着目してなされたものであり、在来工法と２×４工法の長所をそのまま生かすことができ、しかも両者の短所を補完することができる画期的な躯体構造及びその施工方法を構築することによって、構造や組み立てが簡単で、工期の短縮、加工コストや材料コストの削減及び材料の有効利用等が図ることができ、加えて建造物躯体の爾後の変更、拡張にも幅広く、速やかに対応できる建造物の躯体構造及び該躯体構造の施工方法を提供することを目的とするものである。
【０００５】
【課題を解決するための手段】
上記課題を解決するために請求項１記載の発明は、垂直軸組と水平軸組を適宜組み合わせることによって建造物躯体を形成する建造物の躯体構造において、垂直軸組と水平軸組は単一の矩形断面の軸要素を単独で、あるいはこれらを複数本組み合わせることによって構成されていることを特徴とする建造物の躯体構造である。
【０００６】
請求項２記載の発明は、請求項１に記載の建造物の躯体構造において、垂直軸組は建造物躯体の隅部から垂直に立ち上がる断面Ｌ字状の柱と、対向する柱間の適宜の位置に設けられる断面矩形状の間柱とを備え、一方、水平軸組は柱及び間柱の下部と接続され、建造物躯体を基礎に固定するための土台と、柱及び間柱の上部と接続され、段違い状態に配設される梁とを備えることによって構成されていることを特徴とする建造物の躯体構造である。
【０００７】
請求項３記載の発明は、請求項１または２に記載の建造物の躯体構造において、垂直軸組と水平軸組の接合部には長さの違う複数本の軸要素を組み合わせることによって形成される接合凹部ないし接合凸部が設けられていることを特徴とする建造物の躯体構造である。
【０００８】
請求項４記載の発明は、請求項１に記載の建造物の躯体構造において、垂直軸組は多数本の軸要素を軸要素の幅寸法分の間隔を空けて柵状に等間隔配置することによって基本的に構成され、これによって建造物躯体の壁面を形成すると共に、一方、水平軸組は多数本の軸要素を軸要素の幅寸法分の間隔を空けて段違い格子状に等間隔配置することによって基本的に構成され、これによって建造物躯体の天面及び床面を形成するようにしたことを特徴とする建造物の躯体構造である。
【０００９】
請求項５記載の発明は、請求項４に記載の建造物の躯体構造において、垂直軸組は長寸の２本の軸要素の間に短寸の軸要素を挟持させた組合せ要素と、組合せ要素間に軸要素によって構成されるスペーサとを交互に組み合わせることによって構成されていることを特徴とする建造物の躯体構造である。
【００１０】
請求項６記載の発明は、請求項４または５に記載の建造物の躯体構造において、水平軸組はすのこ状に等間隔配置された二組の水平軸要素群が９０°角度を異ならせて上下に段積みされることによって構成されており、水平軸組における各軸要素の端部を垂直軸組における各軸要素間の間隙部に挿入することによって両者の接合が図られていることを特徴とする建造物の躯体構造である。
【００１１】
請求項７記載の発明は、垂直軸組と水平軸組を適宜組み合わせることによって建造物躯体を形成する建造物躯体の施工方法において、建造物躯体は請求項４〜６のいずれかに記載した躯体構造を基本躯体とし、基本躯体組立後、軸要素間の間隙部を利用して他の軸要素を組み合わせることによって拡張躯体を形成するようにしたことを特徴とする建造物の躯体構造の施工方法である。
【００１２】
請求項８記載の発明は、垂直軸組と水平軸組を適宜組み合わせることによって建造物躯体を形成する建造物躯体の施工方法において、建造物躯体は請求項４〜６のいずれかに記載した躯体構造を基本躯体とし、基本躯体組立後、垂直軸組ないし水平軸組の一部、あるいはこれらの双方の一部を切除することによって開口躯体を形成するようにしたことを特徴とする建造物の躯体構造の施工方法である。
【００１３】
請求項９記載の発明は、垂直軸組と水平軸組を適宜組み合わせることによって建造物躯体を形成する建造物躯体の施工方法において、建造物躯体は請求項１〜６のいずれかに記載の躯体構造を基本躯体とし、基本躯体組立時において長さの違う軸要素を使用することによって、あるいは基本躯体組立後において他の軸要素を継ぎ合わせることによって拡張躯体を形成するようにしたことを特徴とする建造物の躯体構造の施工方法である。
【００１４】
【発明の実施の形態】
以下、本発明の実施の形態について説明する。
以下の説明では図１〜３に示す第１の実施の形態と、図４〜６に示す第２の実施の形態に分けて本発明に係る建造物の躯体構造の構成について説明し、その後図４〜６に示す第２の実施の形態を例にとって本発明に係る建造物の躯体構造の施工方法について説明し、最後に他の実施の形態について言及する。
【００１５】
１）第１の実施の形態（図１〜３参照）
躯体構造１は垂直軸組３と水平軸組５を矩形筐体状に組み合わせることによって構成されている。本明細書では躯体構造１とほぼ同様の意味で建造物躯体７の語も使用するが、前者が主に構造に着目しているのに対して、後者は主に形状に着目している点において若干の相違を有している。
垂直軸組３と水平軸組５は例えば１０５ｍｍ角等の規格サイズの角材を軸要素９とし、これらを適宜の長さに切断し、単独で、あるいは複数本組み合わせることによって構成されている。垂直軸組３は建造物躯体７の四隅から垂直に立ち上がる断面Ｌ字状の柱１１と、対向する柱１１間の適宜の位置に設けられる断面矩形状の間柱１３とを基本的に備えている。
【００１６】
柱１１は計４本設けられていて、５本の軸要素９を断面Ｌ字状になるよう、図示しないボルト、ナット等を使用して接合することによって構成されている。また柱１１の上部には、水平軸組５の一部を構成する軸要素９の端部を受け入れ、係合させるための接合凹部１５が形成されている。
接合凹部１５はＬ字状の柱１１における２つの翼板に対して１個ずつ計２個設けられていて、そのうち一方は軸要素９が１本分の厚み、他方は軸要素９が２本分の厚みにそれぞれ対応した深さに加工されている。
【００１７】
間柱１３は計４本設けられていて、３本の軸要素９を断面矩形状になるよう、図示しないボルト、ナット等を使用して並設状態に接合することによって構成されている。また間柱１３の上部には水平軸組５の一部を構成する軸要素９の中間部を受け入れ、係合するための接合凹部１７が形成されており、間柱１３の下部には水平軸組５の他の一部と係合する、一方のコーナ部を直角に切り欠いた形状の接合凹部１９が形成されている。
接合凹部１７は接合凹部１５と同様、軸要素９が１本分の厚みに対応した深さに加工されたものと、軸要素９が２本分の厚さに対応した深さに加工されたものの２種類が用意されており、対向する位置にある一方の２本の間柱１３が浅めの接合凹部１７、他方の２本の間柱１３が深めの接合凹部１７をそれぞれ備えている。
【００１８】
水平軸組５は柱１１及び間柱１３の下部と接続され、建造物躯体７を基礎Ｂに図示しないアンカーボルト等を使用して固定するための矩形枠状の土台２１と、柱１１及び間柱１３の上部と接続され、段違い状態に配設される梁２３とを基本的に備えている。
土台２１は２本の軸要素９を並設状態に接合したものを４セット用意し、これらを矩形枠状に並べて、図示しないボルト、ナットあるいはカスガイ等を使用して接合したものである。また土台２１の接合部位である四隅には、柱１１の下部を受け入れるためにＬ字状に切り欠かれた接合凹部２５が形成されている。
【００１９】
接合凹部１５、１７、１９、２５は軸要素９を接合した後にその一部を切除することによって形成することも可能であるが、本実施の形態では長さの違う軸要素９を予め用意しておき、これらを組み合わせることによって結果的に接合凹部１５、１７、１９、２５が形成される場合を基本とする。
梁２３は単一の軸要素９によって構成されており、計４本設けられていて対向する位置にある２本の梁２３が柱１１の深めの接合凹部１５と、間柱１３の深めの接合凹部１７とに係合し、下方に位置している。そして対向する位置にある他方の２本の梁２３が柱１１の浅めの接合凹部１５と、間柱１３の浅めの接合凹部１７とに係合し、上方に位置している。
【００２０】
２）第２の実施の形態（図４〜６参照）
躯体構造１における垂直軸組３は多数の軸要素９を軸要素９の幅寸法分の間隔を空けて柵状に等間隔配置することによって構成されている。また垂直軸組３は建造物躯体７の壁面を形成する部材であり、柵状に等間隔配置された四組の垂直軸要素群２７が９０°ずつ角度を異ならせ、矩形枠状に配設されることによって構成されている。
【００２１】
また垂直軸組３は長寸の２本の軸要素９の間に短寸の軸要素９によって構成される２つのコマ２９を上下に挟持させた組合せ要素３１と、組合せ要素３１間に軸要素９を介在させることによって構成されるスペーサ３３とを交互に組み合わせることによって構成されている。
コマ２９は長寸の軸要素９の端面から軸要素９が２つ分内側にコマ２９の外側端面が位置するように設けられている。尚、コマ２９ないしスペーサ３３と、これらを挟む長寸の２本の軸要素９における端部とによって形成される凹部空間が接合凹部３５となる。
またスペーサ３３はボルト、ナット等の締め付け位置がコマ２９における締め付け位置と重ならないように幾分長めに形成されている。
【００２２】
水平軸組５は多数本の軸要素９を軸要素９の幅寸法分の間隔を空けて、段違い格子状に等間隔配置することによって基本的に構成されている。また水平軸組５は建造物躯体７の天面及び床面を形成する部材であり、すのこ状に等間隔配置された水平軸要素群３７が９０°ずつ角度を異ならせて上下に段積みされることによって構成されている。
水平軸組５と垂直軸組３との接合は垂直軸組３における接合凹部３５に対して、水平軸組５を構成する軸要素９の両端部を順次、係合させて行くことによって行われる。
【００２３】
次に図４〜６に示す第２の実施の形態を例にとって、本発明に係る建造物の躯体構造の施工方法について説明する。
以下の説明では図４〜６に示す躯体構造１を基本躯体３９とし、この基本躯体３９を利用して、ａ）間仕切り等を設置する場合、ｂ）躯体スペースを拡張する場合、ｃ）屋根や軒等を設置する場合、ｄ）ドアや窓等を設置する場合、ｅ）デッキ等を設置する場合に分けて説明する。
【００２４】
ａ）間仕切り等を設置する場合（図７参照）
基本躯体３９の内部を幾つかの部屋に仕切ったり、物入れ等を設置する場合には、間仕切り等を設置する必要が生ずる。
本発明では図７に示すように基本躯体３９組立後、基本躯体３９の天面あるいは床面を形成している段違い格子状の水平軸組５を利用して間仕切りを設置するための間仕切り用柱４１を所定の本数、立ち上げる。
【００２５】
具体的には、上下に段積みされた２つの水平軸要素群３７によって形成される図７に示す正方形状の間隙部４３に対して、上方から間仕切り用柱４１となる軸要素９を垂直に挿し込むことによって間仕切り用柱４１は設置される。
この間仕切り用柱４１は基本躯体３９の構成を内部において拡張するのに使用されるから基本躯体３９と区別した概念である拡張躯体４５に属する。
【００２６】
ｂ）躯体スペースを拡張する場合（図８参照）
基本躯体３９の外部に他の躯体を接続して躯体スペースを拡張する場合である。本発明では図８に示すように基本躯体３９組立後、基本躯体３９の壁面を形成している垂直軸組３を利用して拡張する他の躯体と接続するための接続梁４７を所定の本数、架け渡す。
【００２７】
具体的には、垂直軸組３における柵状に林立する軸要素９間に形成されているスリット状の間隙部４９に対して、側方から接続梁４７となる軸要素９を挿し込み、ボルト、ナット等を使用して垂直軸組３における軸要素９に対して固定することによって接続梁４７は設けられる。
そして、この接続梁４７を水平軸組５として使用し、他の躯体を組み立てるか、接続梁４７を接合部材として予め組み立てておいた他の基本躯体３９と接続する。接続梁４７は基本躯体３９の構成を外部において拡張するのに使用されるから、上記間仕切り用柱４１と同様、基本躯体３９と区別した概念である拡張躯体４５に属する。
【００２８】
ｃ）屋根や軒等を設置する場合（図９参照）
基本躯体３９の上方に屋根を設置したり、基本躯体３９の壁面外方に軒等を設置する場合である。本発明では、図９に示すように基本躯体３９組立後、例えば基本躯体３９の天面を形成している水平軸組５を利用して、屋根を設置するための垂木５１を所定の本数、斜めに架け渡す。
具体的には、基本躯体３９の天面を形成している水平軸要素群３７における適宜の軸要素９間の対向する位置にある２つの間隙部５３を選択し、それらの間隙部５３に対して垂木５１となる２本の軸要素９の一端を係合させる。また２本の軸要素９の他端が高くなるように、それぞれの軸要素９を傾斜させ、他端同士を図示しないボルト、ナット等を使用して接合する。
【００２９】
また同様に軒を設置する場合には、図９に併せて示すように基本躯体３９組立後、基本躯体３９の壁面を形成している垂直軸組３における適宜の軸要素９間の間隙部４９を利用して軒を設置するための張出し梁５５を先端が下方に位置するように斜めにして接合する。
具体的には、垂直軸組３における適宜の軸要素９間の間隙部４９を選択し、その間隙部４９に対して張出し梁５５となる軸要素９の基端を係合させ、先端が幾分下方に位置するように傾けた状態で垂直軸組３における軸要素９に対して図示しないボルト、ナット等を使用して接合する。
垂木５１と張出し梁５５は基本躯体３９の構成を外部において拡張するのに使用されるから、上記間仕切り用柱４１、接続梁４７と同様、拡張躯体４５に属する。
【００３０】
ｄ）ドアや窓等を設置する場合（図１０参照）
基本躯体３９に対してドアや窓等を設置する場合には、基本躯体３９の壁面の一部を刳り貫き、取付枠５７を設ける必要が生ずる。本発明では図１０に示すように基本躯体３９組立後、基本躯体３９の壁面を形成している柵状の垂直軸組３の一部を切除し、取付枠５７を設置する。
【００３１】
具体的には、取付枠５７の大きさ、取付位置に合わせて基本躯体３９の壁面を形成している垂直軸組３の一部を矩形状に切除し、取付枠５７を図示しないボルト、ナット等を使用して取り付ける。
取付枠５７は軸要素９を適宜組み合わせることによって構成されており、図示の実施の形態では、まぐさとして機能する上部枠５９を２本の軸要素９によって構成し、まぐさを支える左右の側部枠６１と戸台ないし窓台となる下部枠６３を１本の軸要素９によって構成した。
この取付枠５７は基本躯体３９組立後、基本躯体３９の一部を切除することによって設けられるものであるから、基本躯体３９と区別した概念である開口躯体６５に属する。
【００３２】
ｅ）デッキ等を設置する場合（図１１参照）
基本躯体３９の外部にデッキ等を設ける場合には、デッキ等を構成する、すのこ状に配設された板材を支承する台木６７が必要になる。本発明では、台木６７を設けるに当たり、基本躯体３９組立時において床面を形成する水平軸組５における軸要素９の一部を図１１に示すように基本躯体３９の外方に張り出すように長めのものを使用する。
これにより基本躯体３９の壁面外方には、軸要素９が張り出しており、張り出した部分が台木６７として機能する。尚、台木６７は基本躯体３９の一部ということもできるが、基本躯体３９の構成を外部において拡張するのに使用されるから、上記間仕切り用柱４１、接続梁４７、垂木５１、張出し梁５５と同様、拡張躯体４５に属する。
【００３３】
以上、本発明の実施の形態について詳述してきたが、具体的な構成はこの実施の形態に限られるものではなく、本発明の要旨を逸脱しない範囲における設計の変更などがあっても本発明に含まれる。
例えば図１〜３に示す第１の実施の形態において、図１２（ａ）に示すように梁２３を長さの違う３本の軸要素９によって構成し、その端部に接合凸部６９を設け、この接合凸部６９を柱１１における接合凹部１５に対して係合させることによって両者を接合するという構成を採ることも可能である。
また間柱１３の取付位置が予め分かっていて固定状態で構わない場合には、図１２（ｂ）に示すように土台２１の一部に接合凹部７１を形成しておき、この接合凹部７１に対して間柱１３の下部を係合させるという構成を採ることも可能である。
この他、図１２（ｃ）に示すように間柱１３や柱１１に形成される接合凹部１７、１５をすべて軸要素９が２つ分の厚みに対応した深さに統一し、適宜、嵩上げするためのコマ７３等を介在させるようにすることも可能である。
【００３４】
また図４〜６に示す第２の実施の形態において、垂直軸組３におけるスペーサ３３とコマ２９のいずれか一方、または双方を削除し、軸要素９のみによって垂直軸組３を構成することも可能である。また基本躯体３９の天面を形成している水平軸組５の一部を切除して天窓や煙突等を設置できるようにしたり、垂直軸組３の一部を切除して設けた取付枠５７の周囲の軸要素９間の間隙部４９を利用して出窓やベランダ等を設けることも可能である。
また基本躯体３９の天面と床面の中間にも水平軸組５を配置して、基本躯体３９の内部に棚や階段あるいは中二階やロフトのスペース等を設けることも可能である。また上記各実施の形態において、他の軸要素９を継ぎ合わせることによって拡張躯体４５を形成したり、複数の基本躯体３９同士を直接接合し、躯体スペースを垂直方向あるいは水平方向に拡張することも可能である。
【００３５】
【発明の効果】
本発明によれば構造や組み立てが簡単で、建造物躯体の爾後の変更、拡張にも幅広く、速やかに対応できる。また複雑なホゾ加工や形状、大きさ、規格の違う多数の柱や梁等の製作が不要であるから、工期の短縮、加工コストの削減に寄与する。
また単一の軸要素を使用して、すべての軸組を構成しているから材料コストの削減や材料の有効利用及びこれに伴う廃材の減少にも貢献する。
【図面の簡単な説明】
【図１】本発明の第１の実施の形態に係る建造物の躯体構造を示す斜視図である。
【図２】図１の躯体構造の正面図である。
【図３】図１の躯体構造の平面図である。
【図４】本発明の第２の実施の形態に係る建造物の躯体構造を示す斜視図である。
【図５】図４の躯体構造の正面図である。
【図６】図４の躯体構造の平面図である。
【図７】基本躯体の内部に間仕切り等を設置する場合を示す平面図である。
【図８】躯体スペースを外部に拡張する場合を示す断面図である。
【図９】基本躯体の外部に屋根や軒等を設置する場合を示す断面図である。
【図１０】基本躯体の一部を切除して、ドアや窓等を設置する場合を示す正面図である。
【図１１】基本躯体の一部を外部に張り出させることによってデッキ等を設置する場合を示す断面図である。
【図１２】垂直軸組と水平軸組における接合部の構成を異ならせた他の実施の形態を示す斜視図である。
【符号の説明】
１          （建造物の）躯体構造      ３        垂直軸組
５          水平軸組                  ７        建造物躯体
９          軸要素                  １１        柱
１３        間柱                    １５        （柱の）接合凹部
１７        （間柱上部の）接合凹部  １９        （間柱下部の）接合凹部
２１        土台                    ２３        梁
２５        （土台隅部の）接合凹部  ２７        垂直軸要素群
２９        （組合せ要素の）コマ    ３１        組合せ要素
３３        スペーサ                ３５        （垂直軸組の）接合凹部
３７        水平軸要素群            ３９        基本躯体
４１        間仕切り用柱            ４３        （水平軸組中央の）間隙部
４５        拡張躯体                ４７        接続梁
４９        （垂直軸組の）間隙部    ５１        垂木
５３        （水平軸組端部の）間隙部
５５        張出し梁                ５７        取付枠
５９        上部枠                  ６１        側部枠
６３        下部枠                  ６５        開口躯体
６７        台木                    ６９        （梁の）接合凸部
７１        （土台中間部の）接合凹部
７３        （嵩上げ用の）コマ
Ｂ          基礎
【図１】
2004346579.tif 000003
【図２】
2004346579.tif 000004
【図３】
2004346579.tif 000005
【図４】
2004346579.tif 000006
【図５】
2004346579.tif 000007
【図６】
2004346579.tif 000008
【図７】
2004346579.tif 000009
【図８】
2004346579.tif 000010
【図９】
2004346579.tif 000011
【図１０】
2004346579.tif 000012
【図１１】
2004346579.tif 000013
【図１２】
2004346579.tif 000014